(57)【要約】  １実施例において、システムは、第１冷ノイズ源、第１放射計受信器、及び第１検出器を含む。第１冷ノイズ源は、第１搬送波周波数帯を有する第１熱放射信号を発生する。第１熱放射信号は、第１情報信号を搬送する。第１冷ノイズ源は又、第１アンテナを通り前記第１熱放射信号を送信する。第１放射計受信器は、第２アンテナを通る前記第１熱放射信号を受信し、第１検出器は、第１熱放射信号から第１情報信号を抽出する。
2010511178.tif 000002
【特許請求の範囲】
【請求項１】
第１搬送波周波数帯を有し、第１情報信号を搬送する第１熱放射信号を発生し、
第１アンテナを通り前記第１熱放射信号を送信する
ように構成された第１冷ノイズ源；
第２アンテナを通る前記第１熱放射信号を受信する
ように構成された第１放射計受信器；及び
前記第１熱放射信号から前記第１情報信号を抽出する
ように構成され、前記第１放射計受信器に結合された第１検出器；
を含むシステム。
【請求項２】
前記第１熱放射信号中の前記第１情報信号を符号化するように前記第１熱放射信号を変調するように構成され、前記第１冷ノイズ源に結合された変調器を更に含む請求項１のシステム。
【請求項３】
前記熱放射信号から前記第１情報信号を抽出するように前記熱放射信号を復調する事
により、前記第１検出器は、前記第１熱放射信号から前記第１情報信号を抽出するように構成された請求項１のシステム。
【請求項４】
前記第１情報信号は、振幅変調信号及びパルス変調信号からなるグループから選択された請求項１のシステム。
【請求項５】
前記第１検出器は：
前記第１熱放射信号中に遮断を検出し；且つ
前記検出に応答して侵入検出信号を発生する
ように構成された請求項１のシステム。
【請求項６】
前記第１搬送波周波数帯から異なる第２搬送波周波数帯を有し、第２情報信号を搬送する第２熱放射信号を発生し、
前記第２アンテナを通り前記第２熱放射信号を送信する
ように構成された第２冷ノイズ源；
前記第１アンテナを通る前記第２熱放射信号を受信する
ように構成された第２放射計受信器；及び
前記第２熱放射信号から前記第２情報信号を抽出する
ように構成され、前記第２放射計受信器に結合された第２検出器；
を更に含む請求項１のシステム。
【請求項７】
前記第１又は第２アンテナは、ホーンアンテナ、螺旋アンテナ、及びパラボラアンテナからなるグループから選択された請求項１のシステム。
【請求項８】
前記第１アンテナ及び前記第２アンテナの間に置かれ、前記第１熱放射信号を反射する
ように構成された反射器を更に含む請求項１のシステム。
【請求項９】
第１冷ノイズ源により、第１搬送波周波数帯を有し、第１情報信号を搬送する第１熱放射信号を発生するステップ；
第１アンテナを通る前記第１熱放射信号を送信するステップ；
第１放射計受信器で第２アンテナを通る前記第１熱放射信号を受信するステップ；及び
前記第１放射計受信器に結合された第１検出器により、前記第１熱放射信号から前記第１情報信号を抽出するステップ
を含む方法。
【請求項１０】
前記第１熱放射信号中の前記第１情報信号を符号化するように、前記第１冷ノイズ源に結合された変調器により、前記第１熱放射信号を変調するステップを更に含む請求項９の方法。
【請求項１１】
前記第１熱放射信号から前記第１情報信号を抽出するステップは、前記熱放射信号から前記第１情報信号を抽出するように前記熱放射信号を復調するステップを更に含む請求項９の方法。
【請求項１２】
前記第１情報信号は、振幅変調信号及びパルス変調信号からなるグループから選択された請求項９の方法。
【請求項１３】
前記第１熱放射信号中に遮断を検出するステップ；及び
前記検出に応答して侵入検出信号を発生するステップ
を更に含む請求項９の方法。
【請求項１４】
前記第１搬送波周波数帯から異なる第２搬送波周波数帯を有し、第２情報信号を搬送する第２熱放射信号を、第２冷ノイズ源により、発生するステップ；
前記第２アンテナを通り前記第２熱放射信号を送信するステップ；
第２放射計受信器で前記第１アンテナを通る前記第２熱放射信号を受信するステップ；及び
前記第２放射計受信器に結合された第２検出器により、前記第２熱放射信号から前記第２情報信号を抽出するステップ
を更に含む請求項９の方法。
【請求項１５】
前記第１又は第２アンテナは、ホーンアンテナ、螺旋アンテナ、及びパラボラアンテナからなるグループから選択された請求項９の方法。
【請求項１６】
前記第１アンテナ及び前記第２アンテナの間に置かれた反射器を用い前記第１熱放射信号を反射するステップを更に含む請求項９の方法。
【請求項１７】
第１搬送波周波数帯を有し、第１情報信号を搬送する第１熱放射信号を発生し、
第１アンテナを通り前記第１熱放射信号を送信する
ように構成された第１冷ノイズ源；
第２アンテナを通る前記第１熱放射信号を受信する
ように構成された第１放射計受信器；  
前記第１熱放射信号から前記第１情報信号を抽出する
ように構成され、前記第１放射計受信器に結合された第１検出器；
前記第１搬送波周波数帯とは異なる第２搬送波周波数帯を有し、第２情報信号を搬送する第２熱放射信号を発生し、
前記第２アンテナを通り前記第２熱放射信号を送信する
ように構成された第２冷ノイズ源；
前記第１アンテナを通る前記第２熱放射信号を受信する
ように構成された第２放射計受信器；及び
前記第２熱放射信号から前記第２情報信号を抽出する
ように構成され、前記第２放射計受信器に結合された第２検出器；
を含むシステム。
【請求項１８】
前記第１熱放射信号中の前記第１情報信号を符号化するように前記第１熱放射信号を変調するように構成され、前記第１冷ノイズ源に結合された変調器を更に含む請求項１７のシステム。
【請求項１９】
前記熱放射信号から前記第１情報信号を抽出するように前記熱放射信号を復調する事
により、前記第１検出器は、前記第１熱放射信号から前記第１情報信号を抽出するように構成された請求項１７のシステム。
【請求項２０】
前記第１検出器は：
前記第１熱放射信号中に遮断を検出し；且つ
前記検出に応答して侵入検出信号を発生する
ように構成された請求項１７のシステム。
【請求項２１】
前記第１又は第２アンテナは、ホーンアンテナ、螺旋アンテナ、及びパラボラアンテナからなるグループから選択された請求項１７のシステム。
【請求項２２】
前記第１アンテナ及び前記第２アンテナの間に置かれ、前記第１熱放射信号を反射する
ように構成された反射器を更に含む請求項１７のシステム。
【発明の詳細な説明】
【技術分野】
【０００１】
この開示は一般に、通信装置に関し、並びに特に冷ノイズ源を用いるシステム及び同システムの操作方法に関する。
【背景技術】
【０００２】
放射計は、対象から放射された電磁放射を測る。ミリ波放射計は一般に、ミリメータ周波数帯内、典型的にはマイクロ波帯より上で赤外放射スペクトルの下での電磁放射を測る。
【発明の概要】
【発明が解決しようとする課題】
【０００３】
信号妨害を容易に検出できる通信路の提供
【課題を解決するための手段】
【０００４】
１実施例において、システムは、第１冷ノイズ源、第１放射計受信器、及び第１検出器を含む。第１冷ノイズ源は、第１搬送波帯域を有する第１熱放射信号を生成する。第１熱放射信号は、第１情報信号を搬送する。第１冷ノイズ源は又、第１アンテナを通して第１熱放射信号を送信する。第１放射計受信器は、第２アンテナを通る第１熱放射信号を受け取り、第１検出器は、第１熱放射信号から第１情報信号を抽出する。
【０００５】
本開示の特定の実施例は、以下の技術的利点の幾つかの、全然、又は全てを公開する。例えば、種々の実施例は信号妨害を容易に検出できる通信路を提供できる。もし信号を妨害するように通信路に侵入対象が置かれると、進入路は壊され、警報装置の引き金を引く事ができる。
【０００６】
以下の図面、記述、及び請求の範囲から他の技術的利点は当業者にとって容易に明らかである。
【０００７】
本開示の実施例のより完全な理解は、添付図面共に併用される詳細な記述から明らかになる。
【図面の簡単な説明】
【０００８】
【図１】本開示の教示によるシステムの１実施例を示す。
【図２】異なる動作周波数における種々の環境現象による熱放射信号の減衰レベルの例を示す。
【図３】図１の実施例の放射計受信器の受信器出力温度に影響する可能性のあるパラメータの例を示す。
【図４】図１のシステムの動作特性の例を示す。
【図５】侵入検出システムとして構成された本開示の教示によるシステムのもう１つの実施例を示す。
【図６】２重通信方式として構成された本開示の教示によるシステムのもう１つの実施例を示す。
【図７】図６のシステムにより作成可能なスペクトル周波数パターンの１例を示す。
【図８】図６のシステムの動作特性の例を示す。
【図９】図１、５、又は６のシステムにより実行可能な一連の活動の１例を示す。
【発明を実施するための形態】
【０００９】
既知の無線システムは、電磁放射を用い１位置からもう１つの位置へ情報を送信する。これらのシステムの安全はしかし、制限される可能性がある。というのは、他者は電磁放射を妨害できるからである。データ暗号化又は周波数ホッピングのような信号周波数変更技術を安全性改良のため用いることができる。これらの周波数変更技術はしかし、検出可能及び／又は解読可能な能動的電磁放射を用いる。
【００１０】
図１は、本開示の教示によるシステム１０の１実施例を示す。システム１０は示されたように一般に、アンテナ１４に結合された冷ノイズ源１２、アンテナ１８に結合された放射計受信器１６及び検出器２０を含む。動作の１例において、冷ノイズ源１２は、アンテナ１４を通して送信される熱放射信号２２を生成する。熱放射信号２２は、情報信号を運び、送信アンテナ１４から関連する受信アンテナ１８へ如何なる適切な見通し線路をも横切ることができる。放射計受信器１６は、アンテナ１８を通り熱放射信号２２を受け取る。検出器２０は、熱放射信号２２から情報信号を抽出する。
【００１１】
冷ノイズ源１２は、低温で電磁放射する。低温領域の例は、ケルビン温度５０度から２００度、１００度から３００度、１００度から２００度のようなケルビン温度５０度から３００度である可能性がある。１実施例において、冷ノイズ源１２は、冷熱体から放射された電磁放射を装う電界効果トランジスターのような固体素子であっても良い。電界効果トランジスターは、露出活性領域を有する。電流が活性領域を通過するとき、活性領域は電磁放射する。熱体の温度を装う特定波長で電磁放射をできるように活性領域を設計できる。活性領域を通る電流を変化させる事により電磁放射の波長及び模擬温度を変えることができる。電界効果トランジスター（ＦＥＴ）は、高放射ノイズ温「Ｔｗ」及び／又は冷放射ノイズ温「Ｔｃ」を装う事ができる。ノイズ温度Φは、特定周波数でのノイズ電力スペクトル密度で、プランクの黒体式に由来する。温度Ｔにおける発振器の平均エネルギー＜ε＞は：
【００１２】
【数１】
2010511178.tif 000003
で表され、
ｆは動作周波数を表し；
ｈはプランクの定数で；
ｋは熱伝導率を表す。
高温低周波で、平均エネルギー＜ε＞はｋＴに近づくので、帯域幅Ｂの電力は、Ｐ＝ｋＴＢ（ナイキストの公式）である。ノイズ温度Ｔは、Ｔ＝Ｐ／ｋＢである。冷ノイズ源１２は、如何なる適切な周波数においても熱放射信号２２を送信する。１実施例において、送信中により少ない減衰を経験する周波数を選択することができる。図２は、異なる周波数における減衰レベルを示す。
【００１３】
図２は、大気中に存在する自然現象による温度の相対的減衰レベルの例を示す。減衰曲線３０は、海面レベルでの周波数領域に亘って起こりうる相対的減衰を示す。減衰曲線３２は、高度約９１５０ｍでの周波数領域に亘って起こりうる相対的減衰を示す。減衰曲線３０及び３２は、他の周波数領域より相対的に少ない減衰を経験するある周波数領域を示す。例において、周波数領域は一般に、約３５ギガヘルツ、９４ギガヘルツ、１４０ギガヘルツ、２４０ギガヘルツに集中する。このように、これらの周波数近辺における熱放射信号２２は、他の周波数における熱放射信号２２より相対的に少ない減衰を経験する可能性がある。
【００１４】
図１に戻り、冷ノイズ源１２は、約３５ギガヘルツ、９４ギガヘルツ、１４０ギガヘルツ、２４０ギガヘルツでの熱放射信号２２を作ることができる。１例において、２４０ギガヘルツ周波数領域は、アンテナの特定サイズについて相対的に良い空間的解像度を提供できる。大気減衰は、低周波におけるよりも２４０ギガヘルツではより大きいが、より高い空間的解像度は、より大きい減衰を相殺できる１００，５００，又は１０００フィートより大きい領域で良い天候において、相対的に良い信号対ノイズ比を達成できる。
【００１５】
アンテナ１４及び１８は、電気信号を熱放射信号２２に変換する及び熱放射信号を電気信号に変換する如何なる適する設計をも有することができる。アンテナの適切なタイプの例は、ホーンアンテナ、螺旋アンテナ、及びパラボラアンテナを含むことができる。アンテナ１４及び１８を遠隔的に、構成できる。
【００１６】
検出器２０は、放射計受信器１６により受け取られた熱放射信号２２から情報信号を抽出する。下により詳細が記述されるように、熱放射信号２２から情報信号を復調できる。又は、情報信号は、放射計受信器１６による熱放射信号２２の損失に応答して作られた侵入検出信号であり得る。
【００１７】
システム１０のある実施例は、熱体を装う伝送媒体を使うことができる。この媒体は、他の熱放射体から離れて検出する事は相対的に難しい。このように、熱放射信号２２の望ましくない妨害を減らすことができる。
【００１８】
図３は、冷ノイズ源１２から放射計受信器１６へ熱放射信号２２を伝送中に含まれるパラメータを示す。放射計出力温度ＴRECは、以下の式で与えられる：
【００１９】
【数２】
2010511178.tif 000004
ＴRECは、放射計受信器の出力温度を表す；
ＥMLは、主ローブ効率を表す；
AAは、アンテナ１４の開口面積を表す；
ABは、領域Ｒでのビーム遮断面積を表す；
Rは、アンテナ１８からアンテナ１４の領域又は距離を表す；
ＴCは、冷ノイズ源温度を表す；
ＴBは、背景温度を表す；
ＴPは、領域Ｒに亘る伝達係数を表す；
１例において、搬送周波数は９４ギガヘルツで、アンテナ１４及び１８は直径８インチを有し、領域分離は５００フィートで、主ローブ効率は９７％（２．５Ｘ３デシベル（ｄＢ）ビーム幅）で、及び冷ノイズ源温度ＴCは、ケルビン温度１００度から３００度に亘る。２つの温度に対応するＴRECは、ケルビン温度２９９．８度とケルビン温度３００度で、又は受け取られた温度差は、ケルビン温度０．２度である。もし放射計受信器１６が４デシベル（ｄＢ）のノイズ数値、５ギガヘルツの帯域幅、０．１秒の積分時間を持つなら、受信器感度又は最小検知可能温度差は、ケルビン温度０．０３３度である。信号対ノイズ比（ＳＮＲ）は、ＳＮＲ＝１０  log（０．２Ｋ／０．０３３Ｋ）＝７．８デシベル（ｄＢ）である。
【００２０】
式（２）は、放射計受信器１６により見られる受信器の出力温度ＴRECを近似するための１数学モデルを提供するが、受信器の出力温度ＴRECモデル用の他の方程式を、システム１０の実行を近似するために使うことができる。
【００２１】
図４は、図１のシステム１０の動作特性の例を示す。グラフは、ドレイン電圧グラフ３４と検出電圧グラフ３６を含む。ドレイン電圧グラフ３４は、冷ノイズ源１２として構成された特定の電界効果トランジスターのドレイン端子に印加された電圧レベルを示し、冷ノイズ源１２の出力電力に直接比例する。ドレイン電圧グラフ３４は、冷ノイズ源１２の出力電力は相対的に一定である事を示す。検出電圧グラフ３６は、検出器２０で検出された熱放射信号２２を表す。検出された検出電圧グラフ３６は、―１９．０ボルトとー２３．５ボルトとの間を変動する多くの領域３８を有する。これらの変動は、送信アンテナ１４と受信アンテナ１８との間で起きる熱放射信号２２における中断に起因する。この特定の例において、中断は一般に、送信アンテナ１４と受信アンテナ１８との間に置かれた不伝導物に起因する。
【００２２】
図５は、システム１１０のもう１つの実施例を示す。この特定の実施例において、システム１１０は、侵入検出システムとして実施される。システム１１０は、一対の送信アンテナ１１４に結合された冷ノイズ源１１２、一対の受信アンテナ１１８に結合された放射計受信器１１６及び検出器１２０、及び反射器１２４を含む。冷ノイズ源１１２は、熱放射信号１２２を生成する。熱放射信号１２２は、この実施例において航空機１２６であるものを包含する。侵入物による熱放射信号１２２の途絶は、警報の引き金を引く。
【００２３】
検出器１２０は、熱放射信号１２２の途絶を検出でき、侵入警報の引き金を引く。送信アンテナ１１４と関連する受信アンテナ１１８との間に置かれた如何なる不伝導物も、熱放射信号１２２を途絶させる事ができ、侵入警報の引き金を引く。例えば権限無き人は、送信アンテナ１１４と関連する受信アンテナ１１８との間で動く事により熱放射信号１２２を途絶させる可能性がある。
【００２４】
１実施例において反射器１２４は、ある角度に沿って熱放射信号１２２を反射する事ができる。反射器１２４は、電気導電材料を含む事ができる。送信アンテナ１１４から関連する受信アンテナ１１８へ熱放射信号１２２を反射するように反射器１２４を方向付ける事ができる。
【００２５】
図６は、２重通信回線を含むシステム２１０のもう１つの実施例を示す。システム２１０は、対応するアンテナ２１４及び２１８を通り互いに通信する２つのノード２２８a及び２２８ｂを有する。システム２１０は同時に、ノード２２８の一方へ又は一方から熱放射信号２２２を送受信できる。
【００２６】
冷ノイズ源２１２は、熱放射信号２２２における情報信号を符号化するために如何なる方法によっても熱放射信号２２２を変調できる。１実施例において、情報信号を熱放射信号２２２上に重ね合わせるために熱放射信号２２２の熱温度を変化させることにより、熱放射信号２２２は変調される。もう１つの実施例において、搬送波信号の輝度温度をそらすことにより熱放射信号２２２を変調できる。もう１つの実施例において、熱放射信号２２２をパルス変調する事により、熱放射信号２２２を変調できる。
【００２７】
各ノード２２８a及び２２８ｂは、冷ノイズ源２１２、放射計受信器２１６、導波管サーキュレータ２３０、及び示されたように結合された検出器２２０を有する。冷ノイズ源２１２と放射計受信器２１６とは、導波管サーキュレータ２３０を通して各アンテナ２１４又は２１８に結合される。１実施例において、導波管サーキュレータ２３０は、低損無線周波（ＲＦ）フェライトスイッチである。
【００２８】
示された特定の実施例において、放射計受信器２１６は、ミキサー２３２、局部発振器２３４、及び示されたように結合された増幅器２３６を含むスーパーヘテロダイン受信器を含む。ミキサー２３２は、増幅器２３６により増幅される中間信号を形成するために受け取られた熱放射信号２２２を局部発振器２３４により発生した信号と混ぜる。この実施例において、放射計受信器２１６は、スーパーヘテロダイン受信器を含むが、放射計受信器２１６は、超再生受信器、同調無線周波受信器、又は直接検出受信器のような如何なる適切なタイプの受信器をも含むことができる。
【００２９】
検出器２２０は、放射計受信器２１６の出力を受け取る。この特定の実施例において、検出器２２０は、復調器２３８と示されたように結合された低域通過濾波器２４０とを有する。復調器２３８は、熱放射信号２２２から情報信号を抽出する。１実施例において、復調器２３８は、熱放射信号２２２により搬送され受け取られたデジタル信号に従い電圧を発生する電圧同一確認デジタル（ＶＩＤ）復調器である。
【００３０】
図７は、図６のシステム２１０により作成可能なスペクトル周波数パターン２５０の１例を示す。この特定の実施例において、１ノード２２８aの冷ノイズ源２１２は、９２．５ギガヘルツの搬送波周波数２５２を持つことができ、ノード２２８ｂの冷ノイズ源２１２は、９７．５ギガヘルツの搬送波周波数２５４を持つことができる。ノード２２８aのミキサー２３２は、下側ローブ２５６と上側ローブ２５８とを生むために受け取られた熱放射信号２２２を局部発振器２３４に混ぜる。ノード２２８ｂのミキサー２３２は、下側ローブ２６０と上側ローブ２６２とを生むために受け取られた熱放射信号２２２を局部発振器２３４に混ぜる。
【００３１】
図８は、図６のシステム２１０の動作特性の例を示す。そのグラフは、ドレイン電圧グラフ２７０と検出電圧グラフ２７２とを含む。ドレイン電圧グラフ２７０は、冷ノイズ源２１２により発生した熱放射信号２２２の相対出力電力を示す。この特定の実施例において、熱放射信号２２２は、ケルビン温度１３５度からケルビン温度３００度の効果的放射温度変化を装う矩形波信号により変調される。
【００３２】
その変調は、熱放射信号２２２における情報信号を符号化する。検出された検出電圧グラフ２７２は、検出器２２０により検出された熱放射信号２２２を示す。検出された検出電圧グラフ２７２は一般に、ドレイン電圧グラフ２７０に従う。従って、情報信号は、送信に亘り実質上保存される。
【００３３】
本開示の範囲から逸脱すること無しに、システム１０，１１０，又は２１０に変更、追加、又は省略可能である。システム１０，１１０，又は２１０の構成要素を一体化でき、又は分離できる。例えば、検出器２０，１２０，又は２２０を放射計受信器１６，１１６，又は２１６に結合でき、又は検出器２０等は，放射計受信器１６，１１６，又は２１６の一部を形成できる。更に、より多くの、より少ない、又は他の構成要素によりシステム１０，１１０，又は２１０を実施できる。例えば、システム２１０の各ノード２２８は、冷ノイズ源２１２と放射計受信器２１６とを各アンテナ２１４又は２１８に結合するために導波管サーキュレータ２３０を含むことができ、又は、もし冷ノイズ源２１２及び放射計受信器２１６がそれら自身の専用アンテナを有するなら、導波管サーキュレータ２３０は必要とされないかも知れない。この書面で使用されるように、「各」は、セットの各部材又はセットのサブセットの各部材を言う。
【００３４】
図９は、システム１０，１１０，又は２１０により実行可能な一連のステップの１実施例を示す。ステップ３００で、方法は開始される。
【００３５】
ステップ３０２で、冷ノイズ源１２，１１２，又は２１２は、送信アンテナ１４，１１４，又は２１４を用い熱放射信号２２，１２２，又は２２２を作る。システム１０又は１１０のために、熱放射信号２２又は１２２は、一定振幅及び周波数を持つことができる。システム２１０のために、振幅変調又はパルス変調を用い熱放射信号２２２を情報信号で変調できる。
【００３６】
ステップ３０４で、放射計受信器１６，１１６，又は２１６は、アンテナ１８，１１８，又は２１８を通して熱放射信号２２，１２２，又は２２２を受信し、及び熱放射信号２２，１２２，又は２２２を送信する。放射計受信器１６，１１６，又は２１６は、如何なる見通し線路に沿って進む熱放射信号２２，１２２，又は２２２をも受信する。１実施例において、熱放射信号は、反射器１２４を用いて見通し線路に沿って反射する。
【００３７】
ステップ３０６で、検出器２０，１２０，又は２２０は、熱放射信号２２，１２２，又は２２２からの情報信号を抽出する。システム１１０のために、検出器１２０は、熱放射信号１２２の瞬間的喪失が原因で侵入検出信号を作る。システム２１０のために、検出器２２０は、熱放射信号２２２から情報信号を復調する。
【００３８】
システム１０，１１０，又は２１０の動作に亘って先に記述された方法は続く。システム１０，１１０，又は２１０の使用がもはや必要とされないか又は希望されない時、その方法は、ステップ３０８で停止する。
【００３９】
本開示の範囲から逸脱すること無しに、本方法に変更、追加、又は省略を為す事は可能である。本方法は、より多くの、より少ない、又は他のステップを含む事ができる。例えば、冷ノイズ源２１２の模擬温度を変調する事により又は熱放射信号２２２の振幅を変調する事等による如何なる適切な方法でも情報信号を符号化するために、熱放射信号２２２を変調できる。
【００４０】
数個の実施例が詳細に示され、記述されたが、以下の請求の範囲により定義されるように、本開示の精神及び範囲から逸脱する事無しに代替及び改造は可能である事は認識される。
【図１】
2010511178.tif 000005
【図２】
2010511178.tif 000006
【図３】
2010511178.tif 000007
【図４】
2010511178.tif 000008
【図５】
2010511178.tif 000009
【図６】
2010511178.tif 000010
【図７】
2010511178.tif 000011
【図８】
2010511178.tif 000012
【図９】
2010511178.tif 000013
【国際調査報告】
2010511178.tif 000014
2010511178.tif 000015
2010511178.tif 000016